(57)【要約】【課題】本発明は車指示ＬＥＤライトを開示した。【解決手段】前記設備はライトベルト押出ロック装置と、警告布引っ張り装置と、ライトベルト吸着装置及びトランク蓋通電装置を含み、その中にトランク蓋通電装置は前記ライトベルト押出ロック装置とライトベルト吸着装置に電気を提供し、車が平穏に走行するとき、ＬＥＤライトベルトが前記ライトベルト押出装置の中に位置しトランク照明を行う；突発状況に合うとき、ライトベルト押出ロック装置とライトベルト吸着装置とが係合され逆な「Ｖ」形のＬＥＤライトを生成し、逆な「Ｖ」形のＬＥＤライトが警告布と係合されＬＥＤ指示板を生成する。【選択図】図１
2020142778.tif 000002
【特許請求の範囲】
【請求項１】
車本体を含み、前記車本体にはトランクが設置され、前記トランクにはトランク蓋が設置され、前記トランクの底面の前側には第一固定ブロックが固定的に設置され、前記第一固定ブロックの垂直中心には上に滑り出すことができる第一スライドブロックが設置され、前記第一スライドブロックの中には下方に開口した半円形空きチャンバが設置され、前記半円形空きチャンバには第一リング状磁石が固定的に設置され、前記第一スライドブロックの前端には第一空きチャンバが設置され、前記第一固定ブロックと前記第一スライドブロックとの間にはスライドできる第一斜めブロックが左右に対称的に設置され、前記第一斜めブロックと前記第一空きチャンバとの間にはロック機構が設置され、前記第一斜めブロックの一端には押出機構が設置され、前記第一スライドブロックの後端の両側には回転ライトベルト機構が設置され、前記ロック機構、前記押出機構及び前記回転ライトベルト機構が第一固定ブロックの中にライトベルト押出ロック装置を共同に構成し、前記トランクの後側には第二固定ブロックが左右に対称的に固定的に設置され、前記第二固定ブロックの間には第一回転軸が回転できるように設置され、前記第一回転軸には第三固定ブロックが左右に対称的に固定的に設置され、前記第一スライドブロックには後に前記第一回転軸まで伸びている二本のスライドバーが設置され、前記スライドバーの間には工形スライドブロックがスライドできるように設置され、前記工形スライドブロックには前記第一リング状磁石と相互に吸引し合う第二リング状磁石が固定的に設置され、中空円柱と前記第二リング状磁石との間には警告布引っ張り装置が設置され、前記工形スライドブロックと前記第三固定ブロックとの間にはライトベルト吸着装置が設置され、前記ライトベルト押出ロック装置と前記ライトベルト吸着装置との間にはトランク蓋通電装置が設置される；従って、ライトベルト押出ロック装置がＬＥＤライトベルトを押し出し、トランク蓋通電装置がライトベルト押出ロック装置とライトベルト吸着装置に電気を提供する。
前記ロック機構と前記押出機構は前記第一斜めブロックを含み、前記第一斜めブロックの中には前方に開口した凹溝が設置され、前記第一空きチャンバにはスライド溝が左右に対称的に連通設置され、前記第一空きチャンバの中には第二スライドブロックがスライドできるように設置され、前記第二スライドブロックと前記第一空きチャンバの前壁との間にはばねが固定的に接続され、前記第二スライドブロックの底面には第二斜めブロックが固定的に設置され、前記スライド溝の中には前記第二スライドブロックと固定的に接続される第三斜めブロックがスライドできるように設置され、前記第一斜めブロックの一端には後方に開口した貫通溝が連通設置され、前記貫通溝の中にはプッシュバーがスライドできるように設置され、前記プッシュバーと前記第一斜めブロックとの間には液圧パイプが伝動できるように設置され、前記プッシュバーの一端にはばねリセット機構が固定的に設置され、前記回転ライトベルト機構は前記第一スライドブロックを含み、前記第一スライドブロックの後側には第四固定ブロックが左右に固定的に設置され、前記第四固定ブロックの中には第二空きチャンバが設置され、前記第二空きチャンバの中には第二回転軸が回転できるように設置され、前記第二回転軸には第一トーションばねが巻かれ、前記第二回転軸の片側にはＬＥＤライトベルトが固定的に接続され、前記ＬＥＤライトベルトには第一長方形磁石が固定的に設置され、前記ＬＥＤライトベルトの末端には第一通電接触点が固定的に設置され、前記第一固定ブロックの後端面には前記第一通電接触点と係合される第二通電接触点が固定的に設置される；従って、前記工形スライドブロックが前記半円形空きチャンバの中までスライドするとき、装置がＬＥＤライトベルトを押圧し、前記第一スライドブロックが上にスライドし前記第一固定ブロックから離脱するとき、装置が前記第一斜めブロックをロックすることを特徴とする車指示ＬＥＤライト。
【請求項２】
前記警告布引っ張り装置は前記中空円柱を含み、前記中空円柱には警告布が周設され、前記警告布には警告図が設置され、前記警告布が前記第二リング状磁石に固定的に接続される；
従って、工形スライドブロックが前にスライドするとき、前記工形スライドブロックが前記警告布を引き前に伸びさせることを特徴とする請求項１に記載の車指示ＬＥＤライト。
【請求項３】
前記ライトベルト吸着装置は前記第三固定ブロックを含み、前記第三固定ブロックの前端には第三空きチャンバが設置され、前記第三空きチャンバの中には第三回転軸が回転できるように設置され、前記第三回転軸には第二トーションばねが周設され、前記第三回転軸にはリールが固定的に設置され、前記リールと前記第二リング状磁石との間には鋼線が接続され、前記鋼線には前記第一長方形磁石と相互に吸引し合う第二長方形磁石がスライドできるように設置され、前記第三固定ブロックには前記第一通電接触点と係合される第三通電接触点が固定的に設置される；従って、ＬＥＤライトベルトが押し出して回転させた後、前記第二長方形磁石が前記鋼線の連動により前記第一長方形磁石と吸引し合うことを特徴とする請求項１に記載の車指示ＬＥＤライト。
【請求項４】
前記トランク蓋通電装置は前記トランクを含み、前記トランクの底面には通電弁が固定的に設置され、前記通電弁の中には長いロッドスイッチが設置され、前記第一スライドブロックの頂面には第三長方形磁石が固定的に設置され、前記トランク蓋の中には前記第三長方形磁石と相互に吸引し合う第四長方形磁石が固定的に設置され、前記トランクの片側の端面にはシガレットライター口が設置され、前記シガレットライター口にはシガレットライターが設置され、前記シガレットライターと前記通電弁との間には第一通電導線が接続され、前記通電弁と前記第二通電接触点との間には第二通電導線が接続され、前記第三通電接触点と前記通電弁との間には第三通電導線が接続される；従って、トランク蓋が閉じるとき、長いロッドスイッチが通電弁を閉め、トランク蓋がオープンするとき、長いロッドスイッチが通電弁を開けることを特徴とする請求項１に記載の車指示ＬＥＤライト。
【発明の詳細な説明】
【技術分野】
【０００１】
本発明は車指示ライト分野を取り上げて、具体的には車指示ＬＥＤライトである。
【背景技術】
【０００２】
周知のように、伝統的な車指示設備は金属製のシート材料であり、シート材料には光反射塗装が設置され、このような車指示設備は人工で取り出した後車両の後方に単独に設置され、指示板自身が小さいため、車両後方の遠い位置に設置され、後方の車両を事前に注意する必要があり、こういう指示板が警告作用しか持っていなく、また車両に発生する突発状況は小確率事件であり、多くの運転者が主観的に指示板を忘れてまたは持たないままで車を運転する。
従って、車指示ＬＥＤライトを設計し上記の問題を解決する必要があり、それの基本的な指示機能を実現すると同時に、設備の警告効果が著しく、一般の状況で設備が照明作業を行う。
【先行技術文献】
【特許文献】
【０００３】
【特許文献１】中国特許出願公開第１０８１２２５１０号明細書
【発明の概要】
【発明が解決しようとする課題】
【０００４】
本発明の目的は車指示ＬＥＤライトを提供し、それは上記の現在の技術中の問題を解決できる。
【課題を解決するための手段】
【０００５】
本発明は以下の技術プランを通じて実現する：本発明の車指示ＬＥＤライトは、車本体を含み、前記車本体にはトランクが設置され、前記トランクにはトランク蓋が設置され、前記トランクの底面の前側には第一固定ブロックが固定的に設置され、前記第一固定ブロックの垂直中心には上に滑り出すことができる第一スライドブロックが設置され、前記第一スライドブロックの中には下方に開口した半円形空きチャンバが設置され、前記半円形空きチャンバには第一リング状磁石が固定的に設置され、前記第一スライドブロックの前端には第一空きチャンバが設置され、前記第一固定ブロックと前記第一スライドブロックとの間にはスライドできる第一斜めブロックが左右に対称的に設置され、前記第一斜めブロックと前記第一空きチャンバとの間にはロック機構が設置され、前記第一斜めブロックの一端には押出機構が設置され、前記第一スライドブロックの後端の両側には回転ライトベルト機構が設置され、前記ロック機構、前記押出機構及び前記回転ライトベルト機構が第一固定ブロックの中にライトベルト押出ロック装置を共同に構成し、前記トランクの後側には第二固定ブロックが左右に対称的に固定的に設置され、前記第二固定ブロックの間には第一回転軸が回転できるように設置され、前記第一回転軸には第三固定ブロックが左右に対称的に固定的に設置され、前記第一スライドブロックには後に前記第一回転軸まで伸びている二本のスライドバーが設置され、前記スライドバーの間には工形スライドブロックがスライドできるように設置され、前記工形スライドブロックには前記第一リング状磁石と相互に吸引し合う第二リング状磁石が固定的に設置され、中空円柱と前記第二リング状磁石との間には警告布引っ張り装置が設置され、前記工形スライドブロックと前記第三固定ブロックとの間にはライトベルト吸着装置が設置され、前記ライトベルト押出ロック装置と前記ライトベルト吸着装置との間にはトランク蓋通電装置が設置される。
【０００６】
優選的には、前記ロック機構と前記押出機構は前記第一斜めブロックを含み、前記第一斜めブロックの中には前方に開口した凹溝が設置され、前記第一空きチャンバにはスライド溝が左右に対称的に連通設置され、前記第一空きチャンバの中には第二スライドブロックがスライドできるように設置され、前記第二スライドブロックと前記第一空きチャンバの前壁との間にはばねが固定的に接続され、前記第二スライドブロックの底面には第二斜めブロックが固定的に設置され、前記スライド溝の中には前記第二スライドブロックと固定的に接続される第三斜めブロックがスライドできるように設置され、前記第一斜めブロックの一端には後方に開口した貫通溝が連通設置され、前記貫通溝の中にはプッシュバーがスライドできるように設置され、前記プッシュバーと前記第一斜めブロックとの間には液圧パイプが伝動できるように設置され、前記プッシュバーの一端にはばねリセット機構が固定的に設置され、前記回転ライトベルト機構は前記第一スライドブロックを含み、前記第一スライドブロックの後側には第四固定ブロックが左右に固定的に設置され、前記第四固定ブロックの中には第二空きチャンバが設置され、前記第二空きチャンバの中には第二回転軸が回転できるように設置され、前記第二回転軸には第一トーションばねが巻かれ、前記第二回転軸の片側にはＬＥＤライトベルトが固定的に接続され、前記ＬＥＤライトベルトには第一長方形磁石が固定的に設置され、前記ＬＥＤライトベルトの末端には第一通電接触点が固定的に設置され、前記第一固定ブロックの後端面には前記第一通電接触点と係合される第二通電接触点が固定的に設置される。
【０００７】
優選的には、前記警告布引っ張り装置は前記中空円柱を含み、前記中空円柱には警告布が周設され、前記警告布には警告図が設置され、前記警告布が前記第二リング状磁石に固定的に接続される。
【０００８】
優選的には、前記ライトベルト吸着装置は前記第三固定ブロックを含み、前記第三固定ブロックの前端には第三空きチャンバが設置され、前記第三空きチャンバの中には第三回転軸が回転できるように設置され、前記第三回転軸には第二トーションばねが周設され、前記第三回転軸にはリールが固定的に設置され、前記リールと前記第二リング状磁石との間には鋼線が接続され、前記鋼線には前記第一長方形磁石と相互に吸引し合う第二長方形磁石がスライドできるように設置され、前記第三固定ブロックには前記第一通電接触点と係合される第三通電接触点が固定的に設置される。
【０００９】
優選的には、前記トランク蓋通電装置は前記トランクを含み、前記トランクの底面には通電弁が固定的に設置され、前記通電弁の中には長いロッドスイッチが設置され、前記第一スライドブロックの頂面には第三長方形磁石が固定的に設置され、前記トランク蓋の中には前記第三長方形磁石と相互に吸引し合う第四長方形磁石が固定的に設置され、前記トランクの片側の端面にはシガレットライター口が設置され、前記シガレットライター口にはシガレットライターが設置され、前記シガレットライターと前記通電弁との間には第一通電導線が接続され、前記通電弁と前記第二通電接触点との間には第二通電導線が接続され、前記第三通電接触点と前記通電弁との間には第三通電導線が接続される。
【発明の効果】
【００１０】
以上により、本発明の車指示ＬＥＤライトの運動エネルギー利用率が高く、汎用性が強く、適用できるシーンが広い；その同時に、本発明装置の操作が簡単で明白であり、各機構のモジューラ化程度が高く、メンテナンスが簡単であり、省エネで環境にやさしい。
【図面の簡単な説明】
【００１１】
説明しやすいため、本発明は以下の具体的な実施例と付図を交え詳しく説明する。
【００１２】
【図１】図１は本発明の車指示ＬＥＤライトの全体構成略図である；
【図２】図２は図１のＡ−Ａの拡大構成略図である；
【図３】図３は図１のＢの拡大構成略図である。
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
図１−３に示すように、本発明の車指示ＬＥＤライトは、車本体１００を含み、前記車本体１００にはトランク１０５が設置され、前記トランク１０５にはトランク蓋１２９が設置され、前記トランク１０５の底面の前側には第一固定ブロック１０１が固定的に設置され、前記第一固定ブロック１０１の垂直中心には上に滑り出すことができる第一スライドブロック１２３が設置され、前記第一スライドブロック１２３の中には下方に開口した半円形空きチャンバ１２２が設置され、前記半円形空きチャンバ１２２には第一リング状磁石１５０が固定的に設置され、前記第一スライドブロック１２３の前端には第一空きチャンバ１２７が設置され、前記第一固定ブロック１０１と前記第一スライドブロック１２３との間にはスライドできる第一斜めブロック１５１が左右に対称的に設置され、前記第一斜めブロック１５１と前記第一空きチャンバ１２７との間にはロック機構が設置され、前記第一斜めブロック１５１の一端には押出機構が設置され、前記第一スライドブロック１２３の後端の両側には回転ライトベルト機構が設置され、前記ロック機構、前記押出機構及び前記回転ライトベルト機構が第一固定ブロックの中にライトベルト押出ロック装置を共同に構成し、前記トランク１０５の後側には第二固定ブロック１０７が左右に対称的に固定的に設置され、前記第二固定ブロック１０７の間には第一回転軸１０８が回転できるように設置され、前記第一回転軸１０８には第三固定ブロック１０９が左右に対称的に固定的に設置され、前記第一スライドブロック１２３には後に前記第一回転軸１０８まで伸びている二本のスライドバー１２１が設置され、前記スライドバー１２１の間には工形スライドブロック１１９がスライドできるように設置され、前記工形スライドブロック１１９には前記第一リング状磁石１５０と相互に吸引し合う第二リング状磁石１２０が固定的に設置され、中空円柱１１０と前記第二リング状磁石１２０との間には警告布引っ張り装置が設置され、前記工形スライドブロック１１９と前記第三固定ブロック１０９との間にはライトベルト吸着装置が設置され、前記ライトベルト押出ロック装置と前記ライトベルト吸着装置との間にはトランク蓋通電装置が設置される。
【００１５】
有益的には、前記ロック機構と前記押出機構は前記第一斜めブロック１５１を含み、前記第一斜めブロック１５１の中には前方に開口した凹溝１５２が設置され、前記第一空きチャンバ１２７にはスライド溝１４０が左右に対称的に連通設置され、前記第一空きチャンバ１２７の中には第二スライドブロック１２６がスライドできるように設置され、前記第二スライドブロック１２６と前記第一空きチャンバ１２７の前壁との間にはばね１２８が固定的に接続され、前記第二スライドブロック１２６の底面には第二斜めブロック１２５が固定的に設置され、前記スライド溝１４０の中には前記第二スライドブロック１２６と固定的に接続される第三斜めブロック１３９がスライドできるように設置され、前記第一斜めブロック１５１の一端には後方に開口した貫通溝１４４が連通設置され、前記貫通溝１４４の中にはプッシュバー１４３がスライドできるように設置され、前記プッシュバー１４３と前記第一斜めブロック１５１との間には液圧パイプ１４１が伝動できるように設置され、前記プッシュバー１４３の一端にはばねリセット機構１４２が固定的に設置され、前記回転ライトベルト機構は前記第一スライドブロック１２３を含み、前記第一スライドブロック１２３の後側には第四固定ブロック１４９が左右に固定的に設置され、前記第四固定ブロック１４９の中には第二空きチャンバ１４６が設置され、前記第二空きチャンバ１４６の中には第二回転軸１４８が回転できるように設置され、前記第二回転軸４８には第一トーションばね１４７が巻かれ、前記第二回転軸１４８の片側にはＬＥＤライトベルト１４５が固定的に接続され、前記ＬＥＤライトベルト１４５には第一長方形磁石１０４が固定的に設置され、前記ＬＥＤライトベルト１４５の末端には第一通電接触点１０３が固定的に設置され、前記第一固定ブロック１０１の後端面には前記第一通電接触点１０３と係合される第二通電接触点１０２が固定的に設置される。
【００１６】
有益的には、前記警告布引っ張り装置は前記中空円柱１１０を含み、前記中空円柱１１０には警告布１１１が周設され、前記警告布１１１には警告図１１２が設置され、前記警告布１１１が前記第二リング状磁石１２０に固定的に接続される。
【００１７】
有益的には、前記ライトベルト吸着装置は前記第三固定ブロック１０９を含み、前記第三固定ブロック１０９の前端には第三空きチャンバ１１３が設置され、前記第三空きチャンバ１１３の中には第三回転軸１１５が回転できるように設置され、前記第三回転軸１１５には第二トーションばね１１４が周設され、前記第三回転軸１１５にはリール１１６が固定的に設置され、前記リール１１６と前記第二リング状磁石１２０との間には鋼線１１８が接続され、前記鋼線１１８には前記第一長方形磁石１０４と相互に吸引し合う第二長方形磁石１１７がスライドできるように設置され、前記第三固定ブロック１０９には前記第一通電接触点１０３と係合される第三通電接触点１０６が固定的に設置される。
【００１８】
有益的には、図２に示すように、前記トランク蓋通電装置は前記トランク１０５を含み、前記トランク１０５の底面には通電弁１３１が固定的に設置され、前記通電弁１３１の中には長いロッドスイッチ１３０が設置され、前記第一スライドブロック１２３の頂面には第三長方形磁石１３７が固定的に設置され、前記トランク蓋１２９の中には前記第三長方形磁石１３７と相互に吸引し合う第四長方形磁石１３８が固定的に設置され、前記トランク１０５の片側の端面にはシガレットライター口１３４が設置され、前記シガレットライター口１３４にはシガレットライター１３５が設置され、前記シガレットライター１３５と前記通電弁１３１との間には第一通電導線１３６が接続され、前記通電弁１３１と前記第二通電接触点１０２との間には第二通電導線１３２が接続され、前記第三通電接触点１０６と前記通電弁１３１との間には第三通電導線１３３が接続される。
【００１９】
下記に、出願人は図１−３と上記に記述した本出願の車指示ＬＥＤライトの具体的な構成を参考し、本出願の車指示ＬＥＤライトの使用方法を詳しく紹介する：
【００２０】
車両が突然状況に遭って指示板を使用する必要があるとき、工形スライドブロック１１９を前に半円形空きチャンバ１２２の中までプッシュし、第二リング状磁石１２０と第一リング状磁石１５０とが相互に吸引し合い、警告布１１１がトランク１０５の中で引っ張って広げられ、第一斜めブロック１５１が半円形空きチャンバ１２２の中から押し出され、第一斜めブロック１５１が液圧パイプ１４１によりプッシュバー１４３を連動し、ＬＥＤライトベルト１４５が押圧されて回転し、ＬＥＤライトベルト１４５が回転した後に第一長方形磁石１０４と第二長方形磁石１１７とを相互に吸引し合わせ、第三通電接触点１０６と第一通電接触点１０３とが接触し、このときＬＥＤライトベルト１４５が逆さに立ち「Ｖ」形になって点灯され、また警告布１１１と係合されて三角形の指示板を生成し、そして第一スライドブロック１２３が上に持ち上げられ、トランク蓋１２９にある第四長方形磁石１３８と相互に吸引し合い、第二斜めブロック１２５が後にスライドし、第二スライドブロック１２６が第三斜めブロック１３９を連動し下にスライドさせて凹溝１５２の中に插入し、このときに第一斜めブロック１５１がロックされ、第三斜めブロック１３９が弾性によりリセットされることができなく、それと同時に、第一回転軸１０８が回転し、三角形指示板が鉛直状態にあり、このときに車指示操作を行う；
【００２１】
第一スライドブロック１２３を押し初期位置に戻らせた後、工形スライドブロック１１９を引っ張り初期位置に戻らせ、装置が初期状態に戻り、トランク照明操作を続けて行うことができる。
【００２２】
以上により、本発明の車指示ＬＥＤライトの運動エネルギー利用率が高く、汎用性が強く、適用できるシーンが広い；その同時に、本発明装置の操作が簡単で明白であり、各機構のモジューラ化程度が高く、メンテナンスが簡単であり、省エネで環境にやさしい。
【００２３】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020142778.tif 000003
【図２】
2020142778.tif 000004
【図３】
2020142778.tif 000005
【手続補正書】
【提出日】平成31年4月21日(2019.4.21)
【手続補正１】
【補正対象書類名】特許請求の範囲
【補正対象項目名】請求項１
【補正方法】変更
【補正の内容】
【請求項１】
車本体を含み、前記車本体にはトランクが設置され、前記トランクにはトランク蓋が設置され、前記トランクの底面の前側には第一固定ブロックが固定的に設置され、前記第一固定ブロックの垂直中心には上に滑り出すことができる第一スライドブロックが設置され、前記第一スライドブロックの中には下方に開口した半円形空きチャンバが設置され、前記半円形空きチャンバには第一リング状磁石が固定的に設置され、前記第一スライドブロックの前端には第一空きチャンバが設置され、前記第一固定ブロックと前記第一スライドブロックとの間にはスライドできる第一斜めブロックが左右に対称的に設置され、前記第一斜めブロックと前記第一空きチャンバとの間にはロック機構が設置され、前記第一斜めブロックの一端には押出機構が設置され、前記第一スライドブロックの後端の両側には回転ライトベルト機構が設置され、前記ロック機構、前記押出機構及び前記回転ライトベルト機構が第一固定ブロックの中にライトベルト押出ロック装置を共同に構成し、前記トランクの後側には第二固定ブロックが左右に対称的に固定的に設置され、前記第二固定ブロックの間には第一回転軸が回転できるように設置され、前記第一回転軸には第三固定ブロックが左右に対称的に固定的に設置され、前記第一スライドブロックには後に前記第一回転軸まで伸びている二本のスライドバーが設置され、前記スライドバーの間には工形スライドブロックがスライドできるように設置され、前記工形スライドブロックには前記第一リング状磁石と相互に吸引し合う第二リング状磁石が固定的に設置され、中空円柱と前記第二リング状磁石との間には警告布引っ張り装置が設置され、前記工形スライドブロックと前記第三固定ブロックとの間にはライトベルト吸着装置が設置され、前記ライトベルト押出ロック装置と前記ライトベルト吸着装置との間にはトランク蓋通電装置が設置され、
前記ロック機構と前記押出機構は前記第一斜めブロックを含み、前記第一斜めブロックの中には前方に開口した凹溝が設置され、前記第一空きチャンバにはスライド溝が左右に対称的に連通設置され、前記第一空きチャンバの中には第二スライドブロックがスライドできるように設置され、前記第二スライドブロックと前記第一空きチャンバの前壁との間にはばねが固定的に接続され、前記第二スライドブロックの底面には第二斜めブロックが固定的に設置され、前記スライド溝の中には前記第二スライドブロックと固定的に接続される第三斜めブロックがスライドできるように設置され、前記第一斜めブロックの一端には後方に開口した貫通溝が連通設置され、前記貫通溝の中にはプッシュバーがスライドできるように設置され、前記プッシュバーと前記第一斜めブロックとの間には液圧パイプが伝動できるように設置され、前記プッシュバーの一端にはばねリセット機構が固定的に設置され、前記回転ライトベルト機構は前記第一スライドブロックを含み、前記第一スライドブロックの後側には第四固定ブロックが左右に固定的に設置され、前記第四固定ブロックの中には第二空きチャンバが設置され、前記第二空きチャンバの中には第二回転軸が回転できるように設置され、前記第二回転軸には第一トーションばねが巻かれ、前記第二回転軸の片側にはＬＥＤライトベルトが固定的に接続され、前記ＬＥＤライトベルトには第一長方形磁石が固定的に設置され、前記ＬＥＤライトベルトの末端には第一通電接触点が固定的に設置され、前記第一固定ブロックの後端面には前記第一通電接触点と係合される第二通電接触点が固定的に設置されることを特徴とする車指示ＬＥＤライト。